(57)【特許請求の範囲】
【請求項１】
ユーザ操作に応じて入力された読みの文字列に対応する読み見出しの見出し語を、読み見出しと表記見出しを含む見出し語と当該見出し語に関する情報とを複数組対応付けた辞書データを記憶している記憶手段から検索して当該見出し語のうちの少なくとも表記見出しを一覧表示させる表記見出一覧表示制御手段と、
前記見出し語に関する情報の種類をユーザ操作に応じて指定する情報種類指定手段と、
前記表記見出一覧表示制御手段により表記見出しが一覧表示された状態で、当該一覧表示された表記見出しのそれぞれに対応付けて、前記情報種類指定手段により指定された種類の当該表記見出しの見出し語に関する情報を表示させる指定種類情報表示制御手段と、
を備えたことを特徴とする情報表示制御装置。
【請求項２】
前記指定種類情報表示制御手段は、
前記表記見出一覧表示制御手段により一覧表示された表記見出しそれぞれの見出し語に対応して前記情報種類指定手段により指定された種類の情報を当該情報の種類に対応する辞書データから検索する指定種類情報検索手段を有し、
この指定種類情報検索手段により検索された情報を表示させる、
ことを特徴とする請求項１に記載の情報表示制御装置。
【請求項３】
前記記憶手段は、読み見出しと表記見出しからなる見出し語と当該見出し語の説明情報とを複数組対応付けた複数の辞書データを記憶し、
前記表記見出一覧表示制御手段は、ユーザ操作に応じて入力された読みの文字列に対応する読み見出しの見出し語を前記複数の辞書データから検索する複数辞書検索手段と、この複数辞書検索手段により検索された見出し語のうちその表記見出しが同じ見出し語毎に当該表記見出しをその検索元である複数の辞書をまとめた辞書纏め見出しとして一覧表示させる辞書纏め見出一覧表示制御手段とを有し、
前記辞書纏め見出一覧表示制御手段により一覧表示された辞書纏め見出しのうち何れかの表記見出しが指定された場合に、当該指定された表記見出しの見出し語に対応する説明情報を同見出し語の検索元である複数の辞書データからそれぞれ読み出して一覧表示させる複数辞書説明情報表示制御手段を備えた、
ことを特徴とする請求項１または請求項２に記載の情報表示制御装置。
【請求項４】
表示手段を備え、
前記表記見出一覧表示制御手段は、前記表示手段に表記見出しを一覧表示させ、
前記指定種類情報表示制御手段は、前記表示手段に前記指定された種類の当該表記見出しの見出し語に関する情報を表示させる、
ことを特徴とする請求項１ないし請求項３の何れか一項に記載の情報表示制御装置。
【請求項５】
前記記憶手段は、辞書サーバである、
請求項１ないし請求項４の何れか一項に記載の情報表示制御装置。
【請求項６】
表示部を備えた電子機器のコンピュータを制御するためのプログラムであって、
前記コンピュータを、
ユーザ操作に応じて入力された読みの文字列に対応する読み見出しの見出し語を、読み見出しと表記見出しを含む見出し語と当該見出し語に関する情報とを複数組対応付けた辞書データから検索して当該見出し語のうちの少なくとも表記見出しを前記表示部に一覧表示させる表記見出一覧表示制御手段、
前記見出し語に関する情報の種類をユーザ操作に応じて指定する情報種類指定手段、
前記表記見出一覧表示制御手段により表記見出しが一覧表示された状態で、当該一覧表示された表記見出しのそれぞれに対応付けて、前記情報種類指定手段により指定された種類の当該表記見出しの見出し語に関する情報を表示させる指定種類情報表示制御手段、
として機能させるためのプログラム。
【請求項７】
ユーザ操作に応じて入力された読みの文字列に対応する読み見出しの見出し語を、読み見出しと表記見出しを含む見出し語と当該見出し語の説明情報とを複数組対応付けた複数の辞書データから検索する複数辞書検索手段と、
この複数辞書検索手段により検索された見出し語のうちその表記見出しが同じ見出し語毎に当該表記見出しをその検索元である複数の辞書をまとめた辞書纏め見出しとして一覧表示させる辞書纏め見出一覧表示制御手段と、
前記辞書纏め見出一覧表示制御手段により一覧表示された表記見出しのうち、指定された表記見出しを指定表記見出しとして表示させる指定見出表示制御手段と、
前記見出し語に関する情報の種類をユーザ操作に応じて指定する情報種類指定手段と、
前記辞書纏め見出一覧表示制御手段により表記見出しが一覧表示された状態で、前記情報種類指定手段により指定された種類の当該指定表記見出しの見出し語に関する情報を表示させる指定種類情報表示制御手段と、
前記辞書纏め見出一覧表示制御手段により一覧表示された辞書纏め見出しのうち何れかの表記見出しが指定された場合に、当該指定された表記見出しの見出し語に対応する説明情報を同見出し語の検索元である複数の辞書データからそれぞれ読み出して一覧表示させる複数辞書説明情報表示制御手段と、
を備えたことを特徴とする情報表示制御装置。
【請求項８】
前記辞書纏め見出一覧表示制御手段により一覧表示された表記見出しのうちのいずれかの表記見出しをユーザ操作により指定表記見出しとして指定する表記見出し指定手段を備え、
前記指定種類情報表示制御手段は、前記表記見出し指定手段により新たな表記見出しが指定表記見出しとして指定される毎に、前記情報種類指定手段により指定された種類の当該指定表記見出しの見出し語に関する情報を表示させる、
ことを特徴とする請求項７に記載の情報表示制御装置。
【請求項９】
前記指定種類情報表示制御手段は、
前記指定見出表示制御手段により表示された指定表記見出しの見出し語に対応して前記情報種類指定手段により指定された種類の情報を当該情報の種類に対応する辞書データから検索する指定種類情報検索手段を有し、
この指定種類情報検索手段により検索された情報を表示させる、
ことを特徴とする請求項７または請求項８に記載の情報表示制御装置。
【請求項１０】
表示手段を備え、
前記辞書纏め見出一覧表示制御手段は、前記表示手段に表記見出しを一覧表示させ、
前記指定種類情報表示制御手段は、前記表示手段に前記指定された種類の当該指定表記見出しの見出し語に関する情報を表示させる、
ことを特徴とする請求項７ないし請求項９の何れか一項に記載の情報表示制御装置。
【請求項１１】
読み見出しと表記見出しを含む見出し語と当該見出し語の説明情報とを複数組対応付けた複数の辞書データを記憶している辞書サーバから、ユーザ操作に応じて入力された読みの文字列に対応する読み見出しの見出し語を取得し、当該取得した見出し語のうちその表記見出しが同じ見出し語毎に当該表記見出しをその取得元である複数の辞書をまとめた辞書纏め見出しとして一覧表示させる辞書纏め見出一覧表示制御手段と、
前記辞書纏め見出一覧表示制御手段により一覧表示された表記見出しのうち、指定された表記見出しを指定表記見出しとして表示させる指定見出表示制御手段と、
前記見出し語に関する情報の種類をユーザ操作に応じて指定する情報種類指定手段と、
前記辞書纏め見出一覧表示制御手段により表記見出しが一覧表示された状態で、前記情報種類指定手段により指定された種類の当該指定表記見出しの見出し語に関する情報を表示させる指定種類情報表示制御手段と、
前記辞書纏め見出一覧表示制御手段により一覧表示された辞書纏め見出しのうち何れかの表記見出しが指定された場合に、当該指定された表記見出しの見出し語に対応する説明情報を同見出し語の取得元である前記辞書サーバの複数の辞書データからそれぞれ読み出して一覧表示させる複数辞書説明情報表示制御手段と、
を備えたことを特徴とする情報表示制御装置。
【請求項１２】
表示部を備えた電子機器のコンピュータを制御するためのプログラムであって、
前記コンピュータを、
ユーザ操作に応じて入力された読みの文字列に対応する読み見出しの見出し語を、読み見出しと表記見出しを含む見出し語と当該見出し語の説明情報とを複数組対応付けた複数の辞書データから検索する複数辞書検索手段、
この複数辞書検索手段により検索された見出し語のうちその表記見出しが同じ見出し語毎に当該表記見出しをその検索元である複数の辞書をまとめた辞書纏め見出しとして前記表示部に一覧表示させる辞書纏め見出一覧表示制御手段、
前記辞書纏め見出一覧表示制御手段により一覧表示されたいずれかの表記見出しを指定表記見出しとして指定表示する指定見出表示制御手段、
前記見出し語に関する情報の種類をユーザ操作に応じて指定する情報種類指定手段、
前記指定見出表示制御手段によりいずれかの表記見出しが指定表示された状態で、前記情報種類指定手段により指定された種類の当該指定表記見出しの見出し語に関する情報を表示させる指定種類情報表示制御手段、
前記辞書纏め見出一覧表示制御手段により一覧表示された辞書纏め見出しのうち何れかの表記見出しが指定された場合に、当該指定された表記見出しの見出し語に対応する説明情報を同見出し語の検索元である複数の辞書データからそれぞれ読み出して一覧表示させる複数辞書説明情報表示制御手段、
として機能させるためのプログラム。
【請求項１３】
表示部を備えた電子機器のコンピュータを制御するためのプログラムであって、
前記コンピュータを、
読み見出しと表記見出しからなる見出し語と当該見出し語の説明情報とを複数組対応付けた複数の辞書データを記憶している辞書サーバから、ユーザ操作に応じて入力された読みの文字列に対応する読み見出しの見出し語を取得し、当該取得した見出し語のうちその表記見出しが同じ見出し語毎に当該表記見出しをその取得元である複数の辞書をまとめた辞書纏め見出しとして一覧表示させる辞書纏め見出一覧表示制御手段、
前記辞書纏め見出一覧表示制御手段により一覧表示されたいずれかの表記見出しを指定表記見出しとして指定表示する指定見出表示制御手段、
前記見出し語に関する情報の種類をユーザ操作に応じて指定する情報種類指定手段、
前記指定見出表示制御手段によりいずれかの表記見出しが指定表示された状態で、前記情報種類指定手段により指定された種類の当該指定表記見出しの見出し語に関する情報を表示させる指定種類情報表示制御手段、
前記辞書纏め見出一覧表示制御手段により一覧表示された辞書纏め見出しのうち何れかの表記見出しが指定された場合に、当該指定された表記見出しの見出し語に対応する説明情報を同見出し語の取得元である前記辞書サーバの複数の辞書データからそれぞれ読み出して一覧表示させる複数辞書説明情報表示制御手段、
として機能させるためのプログラム。
【発明の詳細な説明】
【技術分野】
【０００１】
本発明は、辞書情報の中からユーザ所望の見出し語を適切に検索して表示させるための情報表示制御装置およびその制御プログラムに関する。
【背景技術】
【０００２】
一般に、電子辞書において、ユーザが知りたい単語の読みの文字列を入力すると、同じ読みで漢字表記の異なる見出し語が同音異義語の見出し語として一覧表示される。そして、前記一覧表示された何れかの見出し語を指定すると、当該指定された見出し語の説明情報がプレビュ表示される。
【０００３】
従来の文書作成装置であって、単語の読みを入力し漢字変換キーを押下すると、同音異義語の漢字候補が表示される。そして、前記漢字候補の何れかに疑似カーソルを合わせて辞書検索キーを押下すると、該当漢字の意味（説明情報）を国語辞典から検索して可視化表示するものが考えられている（例えば、特許文献１参照。）。
【先行技術文献】
【特許文献】
【０００４】
【特許文献１】特開平０９−１２８３８８号公報
【発明の概要】
【発明が解決しようとする課題】
【０００５】
前記従来の電子辞書や文書作成装置では、前記同音異義語の見出し語（漢字候補）のうちユーザが知りたい内容の見出し語が何れであるかを見つけるには、前記一覧表示された見出し語（漢字候補）を一つずつ指定してその説明情報（意味）を表示させ確認しなければならず、操作が煩雑で面倒な問題がある。
【０００６】
本発明は、このような課題に鑑みなされたもので、ユーザ入力された読みの文字列に対応する漢字表記等の表記見出しが多数ある場合でも、容易に所望の表記見出しの見出し語を検索することが可能になる情報表示制御装置およびその制御プログラムを提供することを目的とする。
【課題を解決するための手段】
【０００７】
本発明に係る情報表示制御装置は、ユーザ操作に応じて入力された読みの文字列に対応する読み見出しの見出し語を、読み見出しと表記見出しを含む見出し語と当該見出し語に関する情報とを複数組対応付けた辞書データを記憶している記憶手段から検索して当該見出し語のうちの少なくとも表記見出しを一覧表示させる表記見出一覧表示制御手段と、前記見出し語に関する情報の種類をユーザ操作に応じて指定する情報種類指定手段と、前記表記見出一覧表示制御手段により表記見出しが一覧表示された状態で、当該一覧表示された表記見出しのそれぞれに対応付けて、前記情報種類指定手段により指定された種類の当該表記見出しの見出し語に関する情報を表示させる指定種類情報表示制御手段と、を備えたことを特徴としている。
本発明に係る他の情報表示制御装置は、ユーザ操作に応じて入力された読みの文字列に対応する読み見出しの見出し語を、読み見出しと表記見出しを含む見出し語と当該見出し語の説明情報とを複数組対応付けた複数の辞書データから検索する複数辞書検索手段と、この複数辞書検索手段により検索された見出し語のうちその表記見出しが同じ見出し語毎に当該表記見出しをその検索元である複数の辞書をまとめた辞書纏め見出しとして一覧表示させる辞書纏め見出一覧表示制御手段と、前記辞書纏め見出一覧表示制御手段により一覧表示された表記見出しのうち、指定された表記見出しを指定表記見出しとして表示させる指定見出表示制御手段と、前記見出し語に関する情報の種類をユーザ操作に応じて指定する情報種類指定手段と、前記辞書纏め見出一覧表示制御手段により表記見出しが一覧表示された状態で、前記情報種類指定手段により指定された種類の当該指定表記見出しの見出し語に関する情報を表示させる指定種類情報表示制御手段と、前記辞書纏め見出一覧表示制御手段により一覧表示された辞書纏め見出しのうち何れかの表記見出しが指定された場合に、当該指定された表記見出しの見出し語に対応する説明情報を同見出し語の検索元である複数の辞書データからそれぞれ読み出して一覧表示させる複数辞書説明情報表示制御手段と、を備えたことを特徴としている。
【発明の効果】
【０００８】
本発明によれば、ユーザ入力された読みの文字列に対応する漢字表記等の表記見出しが多数ある場合でも、容易に所望の表記見出しの見出し語を検索することが可能になる。
【図面の簡単な説明】
【０００９】
【図１】本発明の実施形態に係る情報表示制御装置１０の電子回路の構成を示すブロック図。
【図２】前記情報表示制御装置１０を電子辞書装置１０Ｄにより実施した場合の外観構成を示す正面図。
【図３】前記情報表示制御装置１０をタブレット端末１０Ｔにより実施した場合の外観構成を示す正面図。
【図４】前記情報表示制御装置１０の情報表示制御処理（その１）を示すフローチャート。
【図５】前記情報表示制御装置１０の情報表示制御処理（その２）を示すフローチャート。
【図６】前記情報表示制御装置１０の情報表示制御処理（その３）を示すフローチャート。
【図７】前記情報表示制御装置１０の情報表示制御処理に従ったユーザ操作に対応する表示動作（その１）を示す図。
【図８】前記情報表示制御装置１０の情報表示制御処理に従ったユーザ操作に対応する表示動作（その２）を示す図。
【図９】前記情報表示制御装置１０の情報表示制御処理に従ったユーザ操作に対応する表示動作（その３）を示す図。
【発明を実施するための形態】
【００１０】
以下図面により本発明の実施の形態について説明する。
【００１１】
図１は、本発明の実施形態に係る情報表示制御装置１０の電子回路の構成を示すブロック図である。
【００１２】
この情報表示制御装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１３】
ＣＰＵ１１は、メモリ１２内に予め記憶された装置制御プログラム、あるいはＲＯＭカードなどの外部記録媒体１３から記録媒体読取部１４を介して前記メモリ１２に読み込まれた装置制御プログラム、あるいはインターネット上のＷｅｂサーバ（この場合はプログラムサーバ）からダウンロードされて前記メモリ１２に読み込まれた装置制御プログラムに応じて、回路各部の動作を制御する。
【００１４】
前記メモリ１２に記憶された装置制御プログラムは、キー入力部１５からのユーザ操作に応じた入力信号、タッチパネル式カラー表示部であるメイン画面１６やサブ画面１７からのユーザ操作に応じた入力信号、あるいは外部接続されるインターネット上のＷｅｂサーバとの通信信号、あるいは記録媒体読取部１４を介して外部接続されるＥＥＰＲＯＭ，ＲＡＭ，ＲＯＭなどの外部記録媒体１３との接続通信信号に応じて起動される。
【００１５】
前記ＣＰＵ１１には、前記メモリ１２、記録媒体読取部１４、キー入力部１５、メイン画面１６、サブ画面１７などが接続される。
【００１６】
前記メモリ１２に記憶される装置制御プログラムとしては、当該装置１０の全体の動作を司るシステムプログラム、外部接続されるインターネット上の各Ｗｅｂサーバ、ユーザＰＣ(Personal Computer)などとデータ通信するための通信プログラムが記憶される。
【００１７】
また、辞書情報の表示だけでなく、検索したい単語の読み（検索文字列）の入力に応じて当該読みの見出しと漢字やアルファベットの見出し（表記見出し）からなる見出し語を検索する見出し語検索処理、検索された見出し語の一覧表示処理、読み見出しが同じで表記見出しが異なる前記一覧表示された同音異義語の各見出し語に対応付けて当該見出し語に関する情報（正確な表記文字（アウトラインフォント）／類語／例文／発音等）を選択的に表示させる指定種類情報表示処理、前記一覧表示された各見出し語のうち指定の見出し語に対応する説明情報をプレビュにして表示させるプレビュ表示処理など、同メモリ１２内に記憶された辞書データベース１２ｂ、漢字別アウトラインフォントデータ１２ｃ、日本語類語辞書データ１２ｄ、日本語イントネーション辞書データ１２ｅ、中国語類語辞書データ１２ｆ、中国語イントネーション辞書データ１２ｇに基づく処理全般を制御するための情報表示制御処理プログラム１２ａが記憶される。
【００１８】
前記辞書データベース１２ｂには、複数種類の日本語系辞書［国語１］［国語２］…、複数種類の中国系辞書［中国語１］［中国語２］…が記憶される。
【００１９】
各日本語系辞書［国語１］［国語２］…には、日本語の読み見出しと表記見出しからなる見出し語にその説明情報が対応付けられて集録されている。
【００２０】
各中国語系辞書［中国語１］［中国語２］…には、中国語の読み見出し（＝ピンイン）と表記見出し（漢字）からなる見出し語にその説明情報が対応付けられて集録されている。
【００２１】
前記漢字別アウトラインフォントデータ１２ｃには、漢字別に当該漢字のアウトラインフォントデータが集録されている。
【００２２】
前記日本語類語辞書データ１２ｄには、日本語の読み見出しと表記見出しからなる見出し語にその類語が対応付けられて集録されている。
【００２３】
前記日本語イントネーション辞書データ１２ｅには、日本語の読み見出しと表記見出しからなる見出し語にそのイントネーションの表記（読みのカナ文字のアクセント部分に上線を付加した表記）と発音の音声データが対応付けられて集録されている。
【００２４】
前記中国語類語辞書データ１２ｆには、中国語の読み見出し（＝ピンイン）と表記見出し（漢字）からなる見出し語にその類語が対応付けられて集録されている。
【００２５】
前記中国語イントネーション辞書データ１２ｇには、中国語の読み見出し（＝ピンイン）と表記見出し（漢字）からなる見出し語にそのイントネーションの表記（ピンインに四声の記号を付加した表記）と発音の音声データが対応付けられて集録されている。
なおＣＰＵ１１と接続された通信部１００によりネットワーク１０１を介して、外部の辞書サーバ１０２から、前記辞書データベース１２ｂ、前記日本語類語辞書データ１２ｄ、前記日本語イントネーション辞書データ１２ｅ、前記中国語イントネーション辞書データ１２ｇ等をダウンロードして、本体メモリ１２に記憶するようにしても良い。また辞書検索する毎に、外部の辞書サーバ１０２から該当する辞書の検索結果を受信して、本体に取得して利用するようにしても良い。
【００２６】
図２は、前記情報表示制御装置１０を電子辞書装置１０Ｄにより実施した場合の外観構成を示す正面図である。
【００２７】
この図２における電子辞書装置１０Ｄの場合、開閉される装置本体の下段側に前記ＣＰＵ１１、メモリ１２、記録媒体読取部１４が内蔵されると共に、前記キー入力部１５、サブ画面１７、スピーカ１８が設けられ、上段側に前記メイン画面１６が設けられる。前記キー入力部１５には、文字入力キー１５ａ、各種の辞書指定キー１５ｂ、[訳／決定]キー１５ｃ、[戻る]キー１５ｄ等が備えられる。
【００２８】
図３は、前記情報表示制御装置１０をタブレット端末１０Ｔにより実施した場合の外観構成を示す正面図である。
【００２９】
この図３におけるタブレット端末１０Ｔの場合、前記ＣＰＵ１１、メモリ１２、記録媒体読取部１４は端末本体に内蔵され、また、メイン画面１６に必要に応じて表示される各種のアイコンやソフトキーボードが前記キー入力部１５として機能する。
【００３０】
前記図２における電子辞書装置１０Ｄのメイン画面１６および前記図３におけるタブレット端末１０Ｔのメイン画面１６は、何れも前記辞書データベース１２ｂに記憶されている複数種類の日本語系辞書［国語１；大辞○］［国語２；明○］…を対象にした見出し語検索画面Ｇの一表示例を示している。
【００３１】
この見出し語検索画面Ｇの検索語入力エリアｙａに調べたい日本語の読み「かんし」を入力すると、先ず、前記複数種類の日本語系辞書から前記検索語「かんし」と同じ読み見出しを有する多数の見出し語が検索される。この後、画面左端のアイコン表示エリア１６Ｉに表示させた複数種類の情報表示アイコン［表記］Ｉａ，［同義語］Ｉｂ，［例文］Ｉｃ，［発音］Ｉｄの何れかを選択して反転により指定表示ｈさせると、前記検索された読み見出し「かんし」を有する多数の見出し語について、異なる表記見出しの見出し語「かんし［監視］」「かんし［漢詩］」「かんし［冠詞］」毎に前記複数の辞書［大辞○］ｄ１，［明○］ｄ２，…をまとめた辞書纏め見出し語エリアｄｍ１，ｄｍ２，ｄｍ３が生成され見出し語一覧エリアＬＭに表示される。そして、前記情報表示アイコン［発音］Ｉｄが指定表示ｈされた場合は、前記異なる表記見出しの見出し語「かんし［監視］」「かんし［漢詩］」「かんし［冠詞］」毎に前記日本語イントネーション辞書データ１２ｅからそのイントネーション表記が検索され、音声アイコンＭｓと共に、前記各対応する辞書纏め見出し語エリアｄｍ１，ｄｍ２，ｄｍ３に対し、何れの見出し語がユーザ所望の見出し語であるかをその発音から決定付けるヒントとして表示される。
【００３２】
なお、本実施形態では、前記各辞書纏め見出し語エリアｄｍ１，ｄｍ２，…において、その先頭の行は見出し語表示エリアとして確保され、２行目以降は前記情報表示アイコンＩａ〜Ｉｄで指定した種類の情報を表示させるためのヒントエリア（指定種類情報表示エリア）として確保される。
【００３３】
そして、前記見出し語一覧エリアＬＭに表示された辞書纏め見出し語エリアｄｍ１，ｄｍ２，…のうち何れかを選択して指定表示ｈさせると、当該指定表示ｈされた辞書纏め見出し語エリアｄｍｎの見出し語に対応する説明情報が各対応する辞書［大辞○］ｄ１，［明○］ｄ２，…から読み出され、前記見出し語一覧エリアＬＭの右に隣接するプレビュエリアＰＶにプレビュ表示ｐｖ１，ｐｖ２，…される。
【００３４】
この場合ユーザは、同じ読み見出しで異なる表記見出しとなる同音異義語の見出し語「かんし［監視］」「かんし［漢詩］」「かんし［冠詞］」の中から、所望の見出し語をその発音をヒントとして容易に検索できるようになる。
【００３５】
このように構成された情報表示制御装置１０は、前記ＣＰＵ１１が前記情報表示制御処理プログラム１２ａ（見出し語検索処理、見出し語一覧表示処理、指定種類情報表示処理、プレビュ表示処理等を実行するためのプログラムを含む）に記述された命令に従い回路各部の動作を制御し、ソフトウエアとハードウエアとが協働して動作することにより、以下の動作説明で述べる機能を実現する。
【００３６】
次に、前記構成による情報表示制御装置１０の動作について説明する。
【００３７】
図４は、前記情報表示制御装置１０の情報表示制御処理（その１）を示すフローチャートである。
【００３８】
図５は、前記情報表示制御装置１０の情報表示制御処理（その２）を示すフローチャートである。
【００３９】
図６は、前記情報表示制御装置１０の情報表示制御処理（その３）を示すフローチャートである。
【００４０】
図７は、前記情報表示制御装置１０の情報表示制御処理に従ったユーザ操作に対応する表示動作（その１）を示す図である。
【００４１】
図８は、前記情報表示制御装置１０の情報表示制御処理に従ったユーザ操作に対応する表示動作（その２）を示す図である。
【００４２】
図９は、前記情報表示制御装置１０の情報表示制御処理に従ったユーザ操作に対応する表示動作（その３）を示す図である。
【００４３】
ここでは、ユーザが調べたい日本語の読み「かんし」を知っていて漢字表記を知らない場合の実施例について説明する。
【００４４】
キー入力部１５の辞書指定キー１５ｂのユーザ操作に応じて［複数辞書検索（日本語）］が指定されると、前記辞書データベース１２ｂに記憶されている複数種類の日本語系辞書が検索対象の辞書として設定され、図７（Ａ）に示すように、見出し語検索画面Ｇがメイン画面１６に表示される（ステップＳ１）。
【００４５】
この見出し語検索画面Ｇでは、その上端に検索語入力エリアｙａが、その左寄りに見出し語一覧エリアＬＭが、その右寄りにプレビュエリアＰＶが、その左端にアイコン表示エリア１６Ｉが確保される。
【００４６】
この見出し語検索画面Ｇの検索語入力エリアｙａにおいて、文字入力キー１５ａのユーザ操作に応じて、調べたい日本語の読み「かんし」が入力されると（ステップＳ２）、当該入力された読み「かんし」に対応する見出し語が前記指定された複数種類の日本語系辞書から検索される（ステップＳ３）。
【００４７】
すると、前記複数種類の日本語系辞書から検索された多数の見出し語が、その辞書名ｄｎ、読み見出し、表記見出しを１行にした見出し語毎に前記見出し語一覧エリアＬＭに一覧表示される。この際、前記見出し語一覧エリアＬＭの先頭に表示された辞書［大辞○］ｄ１の見出し語「かんし［干支］」がデフォルトで指定表示ｈされ、当該指定表示ｈされた見出し語「かんし［干支］」に対応する説明情報が前記辞書［大辞○］から読み出され前記プレビュエリアＰＶにプレビュ表示される（ステップＳ４）。
【００４８】
こうして見出し語一覧エリアＬＭに一覧表示された同じ読み「かんし」で異なる漢字表記の多数の見出し語（同音異義語）について、例えば、何れの漢字表記の見出し語が所望の見出し語か分からない場合に、前記アイコン表示エリア１６Ｉに表示された［同音ナビ］アイコンＩＮがペンタッチＰされると（ステップＳ５（Ｙｅｓ））、図７（Ｂ）に示すように、当該アイコン表示エリア１６Ｉに対して、前記見出し語に関し表示させることのできる参考情報の種類を示す情報表示アイコン［表記］Ｉａ，［同義語］Ｉｂ，［例文］Ｉｃ，［発音］Ｉｄが一覧表示される（ステップＳ６）。
【００４９】
そして、前記情報表示アイコン［表記］Ｉａ〜［発音］Ｉｄの何れかがペンタッチＰされて指定表示ｈされると（ステップＳ７（Ｙｅｓ））、前記検索された読み見出し「かんし」を有する多数の見出し語について、異なる表記見出しの見出し語「かんし［干支］」「かんし［環視］」「かんし［監視］」…毎に前記複数種類の辞書［大辞○］ｄ１，［明○］ｄ２，［標準国○］ｄ３をまとめた辞書纏め見出し語エリアｄｍ１，ｄｍ２，ｄｍ３，…が生成され見出し語一覧エリアＬＭに表示される（図７（Ｃ）参照）。この際、前記辞書纏め見出し語エリアｄｍ１，ｄｍ２，ｄｍ３，…の先頭の行は見出し語表示エリアとして確保され、２行目以降は前記情報表示アイコンＩａ〜Ｉｄで指定した種類の情報を表示させるためのヒントエリア（指定種類情報表示エリア）として確保される（ステップＳ８）。
【００５０】
そして、前記見出し語一覧エリアＬＭに表示された辞書纏め見出し語エリアｄｍ１，ｄｍ２，…のうち先頭の見出し語「かんし［干支］」の辞書纏め見出し語エリアｄｍ１がデフォルトで指定表示ｈされ、その見出し語「かんし［干支］」に対応する説明情報が各対応する辞書［大辞○］ｄ１，［明○］ｄ２，［標準国○］ｄ３から読み出され、前記プレビュエリアＰＶにプレビュ表示ｐｖ１，ｐｖ２，ｐｖ３される（ステップＳ９）。
【００５１】
ここで、図７（Ｃ）に示すように、前記情報表示アイコン［表記］Ｉａが指定表示ｈされた場合は（ステップＳ１０（Ｙｅｓ））、前記各辞書纏め見出し語エリアｄｍ１，ｄｍ２，ｄｍ３，…にある異なる表記（漢字）見出しの見出し語「かんし［干支］」「かんし［環視］」「かんし［監視］」…毎に、前記漢字別アウトラインフォンデータ１２ｃから当該各漢字のアウトラインフォント「干支」「環視」「監視」…が読み出され、前記各対応する辞書纏め見出し語エリアｄｍ１，ｄｍ２，ｄｍ３，…のヒントエリアに拡大されて表示される（ステップＳ１１）。
【００５２】
この場合ユーザは、同じ読み見出しで異なる表記見出しとなる同音異義語の見出し語「かんし［干支］」「かんし［環視］」「かんし［監視］」…それぞれの正しい漢字表記について容易に確認できる。
【００５３】
そして、前記見出し語一覧エリアＬＭに一覧表示させた各辞書纏め見出し語エリアｄｍ１，ｄｍ２，ｄｍ３，…のうち、図７（Ｄ）に示すように、ユーザ任意の表記見出し（ここでは「環視」）を有する辞書纏め見出し語エリアｄｍ２が、タッチ操作またはカーソル操作により指定されると（ステップＳ１２（Ｙｅｓ））、当該指定された表記見出し「環視」を有する辞書纏め見出し語エリアｄｍ２が指定表示ｈされ、該当の見出し語「かんし［環視］」に対応する説明情報が各対応する辞書［大辞○］ｄ１，［明○］ｄ２，［標準国○］ｄ３から読み出され、前記プレビュエリアＰＶにプレビュ表示ｐｖ１，ｐｖ２，ｐｖ３される（ステップＳ１３）。
【００５４】
これによりユーザは、前記見出し語一覧エリアＬＭに表示された異なる漢字表記の複数の見出し語「かんし［干支］」「かんし［環視］」「かんし［監視］」…の中から任意の見出し語を指定し、この指定の見出し語に対応する説明情報を、当該指定の見出し語を有する複数の辞書［大辞○］ｄ１，［明○］ｄ２，［標準国○］ｄ３からそれぞれ読み出してプレビュ表示ｐｖ１，ｐｖ２，ｐｖ３させることで、何れの漢字表記の見出し語が所望の見出し語であるかを容易に見つけ出すことができる。
【００５５】
また、図８（Ａ）に示すように、前記アイコン表示エリア１６Ｉに表示された情報表示アイコン［同義語］Ｉｂが指定表示ｈされた場合は（ステップＳ１４（Ｙｅｓ））、前記各辞書纏め見出し語エリアｄｍ１，ｄｍ２，ｄｍ３，…にある異なる表記（漢字）見出しの見出し語「かんし［干支］」「かんし［環視］」「かんし［監視］」…毎に、前記日本語類語辞書データ１２ｄから当該各見出し語の類語「十干・十二支」「目撃・注視」「見張り・見守る」…が検索され、前記各対応する辞書纏め見出し語エリアｄｍ１，ｄｍ２，ｄｍ３，…のヒントエリアに拡大されて表示される（ステップＳ１５）。
【００５６】
この場合ユーザは、同じ読み見出しで異なる表記見出しとなる同音異義語の見出し語「かんし［干支］」「かんし［環視］」「かんし［監視］」…それぞれにどのような類語があるかを容易に確認できる。
【００５７】
そして、前記同様に、ユーザ任意の表記見出しを有する辞書纏め見出し語エリアｄｍｎが、タッチ操作またはカーソル操作により指定されると（ステップＳ１６（Ｙｅｓ））、当該指定された表記見出しを有する辞書纏め見出し語エリアｄｍｎが指定表示ｈされ、該当の見出し語「かんし［…］」に対応する説明情報が各対応する辞書［大辞○］ｄ１，［明○］ｄ２，［標準国○］ｄ３から読み出され、前記プレビュエリアＰＶにプレビュ表示ｐｖ１，ｐｖ２，ｐｖ３される（ステップＳ１７）。
【００５８】
これによりユーザは、前記見出し語一覧エリアＬＭに表示された異なる漢字表記の複数の見出し語「かんし［干支］」「かんし［環視］」「かんし［監視］」…について、それぞれ対応する類語をヒントとして表示させ、さらに、任意の見出し語を指定し、この指定の見出し語に対応する説明情報を、当該指定の見出し語を有する複数の辞書［大辞○］ｄ１，［明○］ｄ２，［標準国○］ｄ３からそれぞれ読み出してプレビュ表示ｐｖ１，ｐｖ２，ｐｖ３させることで、何れの漢字表記の見出し語が所望の見出し語であるかを容易に見つけ出すことができる。
【００５９】
次に、図８（Ｂ）に示すように、前記アイコン表示エリア１６Ｉに表示された情報表示アイコン［例文］Ｉｃが指定表示ｈされた場合は（ステップＳ１８（Ｙｅｓ））、前記各辞書纏め見出し語エリアｄｍ１，ｄｍ２，ｄｍ３，…にある異なる表記（漢字）見出しの見出し語「かんし［干支］」「かんし［環視］」「かんし［監視］」…毎に、当該各見出し語を有する先頭の辞書［大辞○］ｄ１から同見出し語の例文が検索され、前記各対応する辞書纏め見出し語エリアｄｍ１，ｄｍ２，ｄｍ３，…のヒントエリアに拡大されて表示される（ステップＳ１９）。
【００６０】
この場合ユーザは、同じ読み見出しで異なる表記見出しとなる同音異義語の見出し語「かんし［干支］」「かんし［環視］」「かんし［監視］」…それぞれにどのような例文があるかを容易に確認できる。
【００６１】
そして、前記同様に、ユーザ任意の表記見出しを有する辞書纏め見出し語エリアｄｍｎが、タッチ操作またはカーソル操作により指定されると（ステップＳ２０（Ｙｅｓ））、当該指定された表記見出しを有する辞書纏め見出し語エリアｄｍｎが指定表示ｈされ、該当の見出し語「かんし［…］」に対応する説明情報が各対応する辞書［大辞○］ｄ１，［明○］ｄ２，［標準国○］ｄ３から読み出され、前記プレビュエリアＰＶにプレビュ表示ｐｖ１，ｐｖ２，ｐｖ３される（ステップＳ２１）。
【００６２】
これによりユーザは、前記見出し語一覧エリアＬＭに表示された異なる漢字表記の複数の見出し語「かんし［干支］」「かんし［環視］」「かんし［監視］」…について、それぞれ対応する例文をヒントとして表示させ、さらに、任意の見出し語を指定し、この指定の見出し語に対応する説明情報を、当該指定の見出し語を有する複数の辞書［大辞○］ｄ１，［明○］ｄ２，［標準国○］ｄ３からそれぞれ読み出してプレビュ表示ｐｖ１，ｐｖ２，ｐｖ３させることで、何れの漢字表記の見出し語が所望の見出し語であるかを容易に見つけ出すことができる。
【００６３】
次に、図８（Ｃ）に示すように、前記アイコン表示エリア１６Ｉに表示された情報表示アイコン［発音］Ｉｄが指定表示ｈされた場合は（ステップＳ２２（Ｙｅｓ））、前記各辞書纏め見出し語エリアｄｍ１，ｄｍ２，ｄｍ３，…にある異なる表記（漢字）見出しの見出し語「かんし［干支］」「かんし［環視］」「かんし［監視］」…毎に、前記日本語イントネーション辞書データ１２ｅから当該各見出し語のイントネーション表記「カンシの“カ”に上線」「カンシの“カ”に上線」「カンシの“ンシ”に上線」…が検索され、音声アイコンＭｓと共に、前記各対応する辞書纏め見出し語エリアｄｍ１，ｄｍ２，ｄｍ３，…のヒントエリアに拡大されて表示される（ステップＳ２３）。
【００６４】
そして、図８（Ｄ）に示すように、ユーザ任意の表記見出し（ここでは「監視」）でイントネーション表記「カンシの“ンシ”に上線」を有する辞書纏め見出し語エリアｄｍ３が、タッチ操作またはカーソル操作により指定されると（ステップＳ２９（Ｙｅｓ））、当該指定された表記見出し「監視」を有する辞書纏め見出し語エリアｄｍ３が指定表示ｈされ、該当の見出し語「かんし［監視］」に対応する説明情報が各対応する辞書［大辞○］ｄ１，［明○］ｄ２，［標準国○］ｄ３から読み出され、前記プレビュエリアＰＶにプレビュ表示ｐｖ１，ｐｖ２，ｐｖ３される（ステップＳ３０）。
【００６５】
そして、前記指定表示ｈされた見出し語「かんし［監視］」を有する辞書纏め見出し語エリアｄｍ３の音声アイコンＭｓがペンタッチＰされると（ステップＳ２４（Ｙｅｓ））、前記日本語イントネーション辞書データ１２ｅから当該見出し語「かんし［監視］」のイントネーション表記「カンシの“ンシ”に上線」に対応した音声データが読み出され、スピーカ１８から出力される（ステップＳ２５）。
【００６６】
これによりユーザは、前記見出し語一覧エリアＬＭに表示された異なる漢字表記の複数の見出し語「かんし［干支］」「かんし［環視］」「かんし［監視］」…について、それぞれ対応するイントネーション表記をヒントとして表示させ、さらに、その読みの音声データを出力させることで、何れの漢字表記の見出し語が所望の見出し語であるかを容易に見つけ出すことができる。
【００６７】
ここで、前記図８（Ｄ）で示したように、前記見出し語「かんし［監視］」を有する辞書纏め見出し語エリアｄｍ３に表示された当該見出し語「かんし［監視］」のイントネーション表記「カンシの“ンシ”に上線」と前記スピーカ１８から出力されたその読みの音声データに基づいて、ユーザによって、当該ユーザが調べようとしている所望の日本語「かんし」に相応しい発音であると認識されることで、図９（Ａ）に示すように、前記イントネーション表記「カンシの“ンシ”に上線」の部分がペンタッチＰされて指定される（ステップＳ２６（Ｙｅｓ））。
【００６８】
すると、前記見出し語一覧エリアＬＭに表示された異なる漢字表記の複数の見出し語「かんし［干支］」「かんし［環視］」「かんし［監視］」…のうち、図９（Ｂ）に示すように、前記指定のイントネーション表記「カンシの“ンシ”に上線」に合致する見出し語「かんし［監視］」「かんし［漢詩］」「かんし［冠詞］」に絞り込まれ、当該絞り込まれた各見出し語の辞書纏め見出し語エリアｄｍ１，ｄｍ２，ｄｍ３が前記見出し語一覧エリアＬＭに一覧表示される（ステップＳ２７）。
【００６９】
ここで更に、図９（Ｃ）に示すように、ユーザ任意の表記見出し（ここでは「漢詩」）を有する辞書纏め見出し語エリアｄｍ２が、タッチ操作またはカーソル操作により指定されると（ステップＳ２９（Ｙｅｓ））、当該指定された表記見出し「漢詩」を有する辞書纏め見出し語エリアｄｍ２が指定表示ｈされ、該当の見出し語「かんし［漢詩］」に対応する説明情報が各対応する辞書［大辞○］ｄ１，［明○］ｄ２，［標準国○］ｄ３から読み出され、前記プレビュエリアＰＶにプレビュ表示ｐｖ１，ｐｖ２，ｐｖ３される（ステップＳ３０）。
【００７０】
これによりユーザは、前記複数辞書検索により前記見出し語一覧エリアＬＭに表示された異なる漢字表記の複数の見出し語「かんし［干支］」「かんし［環視］」「かんし［監視］」…について、所望の日本語「かんし」に相応しい発音である見出し語「かんし［監視］」「かんし［漢詩］」「かんし［冠詞］」に絞り込んだ辞書纏め見出し語エリアｄｍ１，ｄｍ２，ｄｍ３を表示させ、さらに、そのうち任意の見出し語を指定し、この指定の見出し語に対応する説明情報を、当該指定の見出し語を有する複数の辞書［大辞○］ｄ１，［明○］ｄ２，［標準国○］ｄ３からそれぞれ読み出してプレビュ表示ｐｖ１，ｐｖ２，ｐｖ３させることで、何れの漢字表記の見出し語が所望の見出し語であるかを容易に見つけ出すことができる。
【００７１】
なお、前記発音（イントネーション表記）によって絞り込まれた各見出し語「かんし［監視］」「かんし［漢詩］」「かんし［冠詞］」に対応する各辞書纏め見出し語エリアｄｍ１，ｄｍ２，ｄｍ３の一覧表示状態にあって（図９（Ｂ）（Ｃ）参照）、［戻る］キー１５ｄが入力されると（ステップＳ２８（Ｙｅｓ））、当該見出し語の絞り込みが解除され、前記図８（Ｃ）で示したように、元の見出し語「かんし［干支］」「かんし［環視］」「かんし［監視］」…に対応する各辞書纏め見出し語エリアｄｍ１，ｄｍ２，ｄｍ３，…の一覧表示状態に戻る（ステップＳ３１）。
【００７２】
これにより、前記所望の日本語の読み「かんし」から複数辞書検索した異なる表記見出しの見出し語（同音異義語）が多数ある場合でも、各見出し語の発音（イントネーション表記や音声データ）から所望の見出し語を絞り込む作業を、簡単なユーザ操作で異なる発音毎に繰り返し絞り込みすることができ、何れの表記見出しの見出し語が所望の見出し語であるかを容易に見つけ出すことができる。
【００７３】
したがって、前記構成の情報表示制御装置１０によれば、辞書データベース１２ｂに記憶された複数種類の日本語辞書ｄ１，ｄ２，…を対象に、ユーザが調べたい日本語の読み「かんし」を入力すると、入力された読み「かんし」に対応付けられた異なる表記見出しの多数の見出し語「かんし［干支］」「かんし［環視］」「かんし［監視］」…が辞書検索され、当該見出し語毎に検索された辞書ｄｎ…を纏めた辞書纏め見出し語エリアｄｍ１，ｄｍ２，ｄｍ３，…として見出し語一覧エリアＬＭに一覧表示される。そして、前記見出し語に関する参考情報の種類を指定するための情報表示アイコン［表記（アウトラインフォント）］Ｉａ，［同義語］Ｉｂ，［例文］Ｉｃ，［発音］Ｉｄの何れかが指定されると、指定の種類の情報が、各対応する辞書（漢字別アウトラインフォントデータ１２ｃ、日本語類語辞書データ１２ｄ、前記検索元の日本語辞書、日本語イントネーション辞書データ１２ｅ）から検索され、前記各見出し語の辞書纏め見出し語エリアｄｍ１，ｄｍ２，ｄｍ３，…に確保したヒントエリアに表示される。
【００７４】
これによりユーザは、前記見出し語一覧エリアＬＭに一覧表示された異なる漢字表記の複数の見出し語「かんし［干支］」「かんし［環視］」「かんし［監視］」…について、各対応するヒントエリアに表示させた前記指定の種類の参考情報に基づき、何れの漢字表記の見出し語が所望の日本語「かんし」の見出し語であるかを容易に見つけ出すことができる。
【００７５】
また、前記構成の情報表示制御装置１０によれば、前記情報表示アイコン［発音］Ｉｄの指定に応じて、前記日本語イントネーション辞書データ１２ｅから検索された前記各見出し語「かんし［干支］」「かんし［環視］」「かんし［監視］」…に対応するイントネーション表記が、当該各見出し語の辞書纏め見出し語エリアｄｍ１，ｄｍ２，ｄｍ３，…に表示された場合に、前記所望の日本語「かんし」に相応しいと認識される何れかのイントネーション表記（ここでは「カンシの“ンシ”に上線」）が指定されると、指定されたイントネーション表記と同じイントネーション表記の各見出し語「かんし［監視］」「かんし［漢詩］」「かんし［冠詞］」に絞り込まれた辞書纏め見出し語エリアｄｍ１，ｄｍ２，ｄｍ３が一覧表示される。
【００７６】
これによりユーザは、何れの漢字表記の見出し語が所望の日本語「かんし」の見出し語であるかを更に容易に見つけ出すことができる。
【００７７】
また、前記構成の情報表示制御装置１０によれば、前記見出し語一覧エリアＬＭに一覧表示させた各見出し語「かんし［干支］」「かんし［環視］」「かんし［監視］」…に対応する辞書纏め見出し語エリアｄｍ１，ｄｍ２，ｄｍ３，…の何れかが指定されると、指定された辞書纏め見出し語エリアｄｍｎの見出し語に対応する説明情報が各対応する辞書ｄｎ…から読み出され、前記プレビュエリアＰＶにプレビュ表示ｐｖｎ…される。
【００７８】
これによりユーザは、前記見出し語一覧エリアＬＭに表示された異なる漢字表記の複数の見出し語「かんし［干支］」「かんし［環視］」「かんし［監視］」…について、それぞれ対応する前記参考情報をヒントとして表示させ、さらに、任意の見出し語を指定し、この指定の見出し語に対応する説明情報を、当該指定の見出し語を有する複数の辞書ｄｎ…からそれぞれ読み出してプレビュ表示ｐｖｎ…させることで、何れの漢字表記の見出し語が所望の日本語「かんし」の見出し語であるかを更に容易に見つけ出すことができる。
【００７９】
なお、前記実施形態の動作説明では、日本語の読みに対応する見出し語を検索する場合について説明したが、これに限らず、中国語の読み（＝ピンイン）に対応する見出し語を検索する場合でも、前記同様の情報表示制御処理に従い、何れの漢字表記の見出し語が所望の中国語の見出し語であるかを容易に見つけ出すことができる。
【００８０】
また、前記実施形態では、前記複数辞書検索された各見出し語に対応付けて表示させた指定の種類の参考情報が、前記情報表示アイコン［発音］Ｉｄの指定に応じて検索されたイントネーション表記である場合において、当該イントネーション表記から前記各見出し語の絞り込みを行う動作について説明したが、これに限らず、前記指定の種類の参考情報が前記［同義語］［例文］等の他の種類の参考情報であっても、前記同様に各見出し語の絞り込みを行うことができる。
【００８１】
前記実施形態において記載した情報表示制御装置１０による各処理の手法およびデータベース、すなわち、図４〜図６のフローチャートに示す情報表示制御処理（その１〜その３）等の各手法、および各種の辞書コンテンツ（１２ｂ〜１２ｇ）は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、表示画面（１６）を備えた電子機器のコンピュータは、この外部記録媒体１３に記憶されたプログラムをメモリ１２に読み込み、この読み込んだプログラムによって動作が制御されることにより、前記実施形態において説明した見出し語検索機能を実現し、前述した手法による同様の処理を実行することができる。
【００８２】
また、前記各手法を実現するためのプログラムのデータは、プログラムコードの形態として通信ネットワーク上を伝送させることができ、このプログラムデータを、通信ネットワークに接続された表示画面（１６）を備える電子機器のコンピュータに通信によって取り込むことで、前述した見出し語検索機能を実現することもできる。
【００８３】
また、前記実施形態では、前記情報表示制御装置１０を、電子辞書専用の携帯機器（電子辞書装置１０Ｄ）、辞書機能を備えたタブレット端末２０Ｔ、携帯電話、電子ブック、携帯ゲーム機等の電子機器単体にて実現する場合として説明した。
【００８４】
これに対し、通信ネットワーク上のＷｅｂサーバ（辞書サーバ１０２）に、前述した辞書コンテンツ（１２ｂ〜１２ｇ）と情報表示制御処理プログラム１２ａに基づく見出し語検索機能を持たせる。そして当該Ｗｅｂサーバ（辞書サーバ１０２）にタッチパネル式表示画面（１６）を備えた端末装置からアクセスし、所望の検索語の「読み」を送信することで、前記同様に当該検索語の「読み」に対応して複数辞書検索された見出し語一覧画面（ＬＭ）や各見出し語毎の辞書纏め見出し語画面（ｄｍ１，ｄｍ２，…）を受信して表示させたり、前記各見出し語の参考情報の種類を指定して送信することで、前記同様に当該指定の種類に対応して検索された各見出し語毎の参考情報を受信して取得して前記辞書纏め見出し語画面（ｄｍｎ）に表示させる構成としてもよい。
【００８５】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８６】
以下に、本願出願の当初の特許請求の範囲に記載された発明を付記する。
【００８７】
［１］
読み見出しと表記見出しを含む見出し語と当該見出し語の説明情報とを複数組対応付けた辞書データを記憶している辞書記憶手段と、
ユーザ操作に応じて入力された読みの文字列に対応する読み見出しの見出し語を前記辞書データから検索して当該見出し語のうちの少なくとも表記見出しを一覧表示させる表記見出一覧表示制御手段と、
前記表記見出一覧表示制御手段により一覧表示された表記見出しのうち、指定された表記見出しを指定表記見出しとして表示させる指定見出表示制御手段と、
前記見出し語に関する情報の種類をユーザ操作に応じて指定する情報種類指定手段と、
前記表記見出一覧表示制御手段により表記見出しが一覧表示された状態で、前記情報種類指定手段により指定された種類の当該指定表記見出しの見出し語に関する情報を表示させる指定種類情報表示制御手段と、
を備えたことを特徴とする情報表示制御装置。
【００８８】
［２］
前記表記見出一覧表示制御手段により一覧表示された表記見出しのうちのいずれかの表記見出しをユーザ操作により指定表記見出しとして指定する表記見出し指定手段を備え、
前記指定種類情報表示制御手段は、前記表記見出し指定手段により新たな表記見出しが指定表記見出しとして指定される毎に、前記情報種類指定手段により指定された種類の当該指定表記見出しの見出し語に関する情報を表示させる、
ことを特徴とする［１］に記載の情報表示制御装置。
【００８９】
［３］
前記指定種類情報表示制御手段は、
前記指定見出表示制御手段により表示された指定表記見出しの見出し語に対応して前記情報種類指定手段により指定された種類の情報を当該情報の種類に対応する辞書データから検索する指定種類情報検索手段を有し、
この指定種類情報検索手段により検索された情報を表示させる、
ことを特徴とする［１］または［２］に記載の情報表示制御装置。
【００９０】
［４］
前記辞書記憶手段は、読み見出しと表記見出しからなる見出し語と当該見出し語の説明情報とを複数組対応付けた複数の辞書データを記憶し、
前記表記見出一覧表示制御手段は、ユーザ操作に応じて入力された読みの文字列に対応するよみ見出しの見出し語を前記複数の辞書データから検索する複数辞書検索手段と、この複数辞書検索手段により検索された見出し語のうちその表記見出しが同じ見出し語毎に当該表記見出しをその検索元である複数の辞書をまとめた辞書纏め見出しとして一覧表示させる辞書纏め見出一覧表示制御手段とを有し、
前記辞書纏め見出一覧制御表示制御手段により一覧表示された辞書纏め見出しのうち何れかの表記見出しが指定された場合に、当該指定された表記見出しの見出し語に対応する説明情報を同見出し語の検索元である複数の辞書データからそれぞれ読み出して一覧表示させる複数辞書説明情報表示制御手段を備えた、
ことを特徴とする［１］ないし［３］の何れかに記載の情報表示制御装置。
【００９１】
［５］
表示手段を備え、
前記表記見出一覧表示制御手段は、前記表示手段に表記見出しを一覧表示させ、
前記指定種類情報表示制御手段は、前記表示手段に前記指定された種類の当該指定表記見出しの見出し語に関する情報を表示させる、
ことを特徴とする［１］に記載の情報表示制御装置。
【００９２】
［６］
読み見出しと表記見出しを含む見出し語と当該見出し語の説明情報とを複数組対応付けた辞書データを記憶している辞書サーバから、ユーザ操作に応じて入力された読みの文字列に対応する読み見出しの見出し語を取得して当該見出し語のうちの少なくとも表記見出しを一覧表示させる表記見出一覧表示制御手段と、
前記表記見出一覧表示制御手段により一覧表示された表記見出しのうち、指定された表記見出しを指定表記見出しとして表示させる指定見出表示制御手段と、
前記見出し語に関する情報の種類をユーザ操作に応じて指定する情報種類指定手段と、
前記表記見出一覧表示制御手段により表記見出しが一覧表示された状態で、前記情報種類指定手段により指定された種類の当該指定表記見出しの見出し語に関する情報を表示させる指定種類情報表示制御手段と、
を備えたことを特徴とする情報表示制御装置。
【００９３】
［７］
表示部を備えた電子機器のコンピュータを制御するためのプログラムであって、
前記コンピュータを、
読み見出しと表記見出しを含む見出し語と当該見出し語の説明情報とを複数組対応付けた辞書データを取得する辞書取得手段、
ユーザ操作に応じて入力された読みの文字列に対応する読み見出しの見出し語を前記辞書データから検索して当該見出し語のうちの少なくとも表記見出しを前記表示部に一覧表示させる表記見出一覧表示制御手段、
前記表記見出一覧表示制御手段により一覧表示されたいずれかの表記見出しを指定表記見出しとして指定表示する指定見出表示制御手段、
前記見出し語に関する情報の種類をユーザ操作に応じて指定する情報種類指定手段、
前記指定見出表示制御手段によりいずれかの表記見出しが指定表示された状態で、前記情報種類指定手段により指定された種類の当該指定表記見出しの見出し語に関する情報を表示させる指定種類情報表示制御手段、
として機能させるためのプログラム。
【００９４】
［８］
表示部を備えた電子機器のコンピュータを制御するためのプログラムであって、
前記コンピュータを、
読み見出しと表記見出しからなる見出し語と当該見出し語の説明情報とを複数組対応付けた辞書データを記憶している辞書サーバから、ユーザ操作に応じて入力された読みの文字列に対応する読み見出しの見出し語を取得して当該見出し語のうちの少なくとも表記見出しを一覧表示させる表記見出一覧表示制御手段、
前記表記見出一覧表示制御手段により一覧表示されたいずれかの表記見出しを指定表記見出しとして指定表示する指定見出表示制御手段、
前記見出し語に関する情報の種類をユーザ操作に応じて指定する情報種類指定手段、
前記指定見出表示制御手段によりいずれかの表記見出しが指定表示された状態で、前記情報種類指定手段により指定された種類の当該指定表記見出しの見出し語に関する情報を表示させる指定種類情報表示制御手段、
として機能させるためのプログラム。
【符号の説明】
【００９５】
１０  …情報表示制御装置
１０Ｄ…電子辞書装置
１０Ｔ…タブレット端末
１１  …ＣＰＵ
１２  …メモリ
１２ａ…情報表示制御処理プログラム
１２ｂ…辞書データベース
１２ｃ…漢字別アウトラインフォントデータ
１２ｄ…日本語類語辞書データ
１２ｅ…日本語イントネーション辞書データ
１２ｆ…中国語類語辞書データ
１２ｇ…中国語イントネーション辞書データ
１３  …外部記録媒体
１４  …記録媒体読取部
１５  …キー入力部
１６  …メイン画面（タッチパネル式）
Ｇ    …複数辞書検索画面
ｙａ  …検索語入力エリア
ＩＮ  …［同音ナビ］アイコン
Ｉａ〜Ｉｄ…情報表示アイコン
ＬＭ  …見出し語一覧エリア
ｄｍｎ…辞書纏め見出し語エリア
ＰＶ  …プレビュエリア
ｐｖｎ…プレビュ表示
【図１】
0006451153.tif 000002
【図２】
0006451153.tif 000003
【図３】
0006451153.tif 000004
【図４】
0006451153.tif 000005
【図５】
0006451153.tif 000006
【図６】
0006451153.tif 000007
【図７】
0006451153.tif 000008
【図８】
0006451153.tif 000009
【図９】
0006451153.tif 000010